(57)【要約】【課題】空気調和機において、エアフィルターのメンテナンスの手間を低減する自動清掃装置として、エアフィルターに付着した塵埃をブラシにて定期的に清掃をするものが考案されているが、ブラシとエアフィルターがお互いにこすられるためブラシに塵埃が絡みついたり、ブラシが摩耗もしくは変形して機能低下するなどの問題があった。また、ある程度の時間が経過したらブラシで掻き落として集めた塵埃を処理しなくてはならずメンテナンスの手間が大幅に軽減されるものではなかった。【解決手段】ノズルに設けた吸引孔のノズル内部側の全周もしくは長手方向の角部にＲ形状もしくはＣカット形状を施すことにより、フィルター２に付着した塵埃を自動で吸引清掃できる吸引性能に優れた空気調和機を提供することができる。【選択図】図１
2006097920.tif 000002
【特許請求の範囲】
【請求項１】
熱交換器を通過する空気の塵埃を除去するエアフィルターと、前記エアフィルターに沿って駆動可能な吸引ノズルと、前記吸引ノズルに連結された吸引装置により構成される空気調和機において、前記吸引ノズルは、ノズルに設けた吸引部となる吸引孔と、前記吸引孔を覆いつつ前記吸引孔に沿って駆動可能な帯状フィルムと、前記フィルムを保持するフィルムガイドを備えたものであり、前記フィルムにも吸引部となる吸引孔を設けるとともに、前記ノズルに設けた吸引孔のノズル内部側の全周もしくは長手方向の角部にＲ形状もしくはＣカット形状を施したことを特徴とする空気調和機。
【請求項２】
前記フィルムガイドにおいて、吸引孔を設けるとともに、この吸引孔の吸引風入口側の全周もしくは長手方向の角部にＲ形状もしくはＣカット形状を施したことを特徴とする請求項１記載の空気調和機。
【請求項３】
前記フィルムに設けた吸引孔において、この吸引孔の幅寸法を、前記ノズルおよび前記フィルムガイドに設けた吸引孔の幅寸法よりも大きく設定したことを特徴とする請求項１または２記載の空気調和機。
【請求項４】
前記ノズルに設けた吸引孔において、この吸引孔の幅寸法を、前記フィルムに設けた吸引孔の幅寸法よりも大きく設定したことを特徴とする請求項１〜３記載のいずれかの空気調和機。
【発明の詳細な説明】
【技術分野】
【０００１】
本発明は、フィルターの清掃を自動的に行うようにした空気調和機に関するものである。
【背景技術】
【０００２】
従来の空気調和機は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、フィルターのメンテナンスの手間を低減する目的で、エアフィルターに付着した塵埃をブラシにて定期的に清掃する自動清掃装置が考案されている（例えば、特許文献1参照）。
【特許文献１】特開２００１−９９４７９号公報
【発明の開示】
【発明が解決しようとする課題】
【０００４】
しかしながら、上記従来技術ではブラシとエアフィルターがお互いにこすられるためブラシに塵埃が絡みついたり、ブラシが摩耗もしくは変形して機能低下するなどの問題があった。また、ある程度の時間が経過したらブラシで掻き落として集めた塵埃を処理しなくてはならずメンテナンスの手間が大幅に軽減されるものではなかった。こうした観点からエアフィルターの自動清掃装置としてはフィルターに付着した塵埃を吸引ノズルにて吸引清掃し、吸引された塵埃を集塵装置に集塵もしくは室外へ排出する清掃方法が好ましい。
【０００５】
本発明は、前記従来の課題を解決するもので、エアフィルター全面の自動吸引清掃を行うことが可能な空気調和機を提供するものである。
【課題を解決するための手段】
【０００６】
前記課題を解決するため本発明は、熱交換器を通過する空気の塵埃を除去するエアフィルターと、前記エアフィルターに沿って駆動可能な吸引ノズルと、前記吸引ノズルに連結された吸引装置により構成される空気調和機において、前記吸引ノズルは、ノズルに設けた吸引部となる吸引孔と、前記吸引孔を覆いつつ前記吸引孔に沿って駆動可能な帯状フィルムと、前記フィルムを保持するフィルムガイドを備えたものであり、前記フィルムにも吸引部となる吸引孔を設けるとともに、前記ノズルに設けた吸引孔のノズル内部側の全周もしくは長手方向の角部にＲ形状もしくはＣカット形状を施したものである。
【０００７】
これによって、吸引性能に優れた吸引ノズルを提供することができ、エアフィルターに付着した塵埃を自動で確実に吸引清掃することができるものである。
【発明の効果】
【０００８】
本発明の空気調和機は、吸引ノズルの吸引孔の流通路抵抗を低減することができて、吸引力を向上させることが可能となるため、吸引性能に優れた吸引ノズルが提供でき、エアフィルターに付着した塵埃を自動で確実に吸引清掃することが可能となる。
【発明を実施するための最良の形態】
【０００９】
第１の発明は、熱交換器を通過する空気の塵埃を除去するエアフィルターと、前記エアーフィルターに沿って駆動可能な吸引ノズルと、前記吸引ノズルに連結された吸引装置により構成される空気調和機において、前記吸引ノズルは、ノズルに設けた吸引部となる吸引孔と、前記吸引孔を覆いつつ前記吸引孔に沿って駆動可能な帯状フィルムと、前記フィルムを保持するフィルムガイドを備えたものであり、前記フィルムにも吸引部となる吸引孔を設けるとともに、前記ノズルに設けた吸引孔のノズル内部側の全周もしくは長手方向の角部にＲ形状もしくはＣカット形状を施すことにより、ノズル吸引孔の流通路抵抗を低減することができて、吸引性能の高い吸引ノズルが提供できる。
【００１０】
第２の発明は、特に、第１の発明のフィルター装置の吸引ノズルにおいて、前記フィルムガイドに吸引孔を設け、この吸引孔の吸引風入口側の全周もしくは長手方向の角部にＲ形状もしくはＣカット形状を施したもので、この吸引孔の流通路抵抗が低減できるとともに、吸引風の流通音を無くすことができる。
【００１１】
第３の発明は、特に、第１または第２の発明のフィルター装置の吸引ノズルにおいて、前記フィルムに設けた吸引孔の幅寸法を、前記ノズルおよびフィルムガイドに設けた吸引孔の幅寸法よりも大きく設定したものであり、フィルムの横方向へのズレによる吸引孔の開口面積の減少を無くすことができるため、開口面積減少による流通路抵抗の増大を防止することができる。
【００１２】
第４の発明は、特に、第１〜３のいずれかの発明のフィルター装置の吸引ノズルにおいて、前記ノズルに設けた吸引孔の幅寸法を、前記フィルムに設けた吸引孔の幅寸法よりも大きく設定したものである。これにより、吸引孔を通過する吸引風を流線的にノズル内部に導くことができるため、流通路抵抗を大幅に低減することができ、吸引性能の高い吸引ノズルを提供することができる。
【００１３】
以下、本発明の実施の形態について、図面を参照しながら説明する。なお、この実施の形態によって本発明が限定されるものではない。
【００１４】
（実施の形態１）
図1は本発明の実施の形態１における空気調和機の構成を示した斜視図、図２は吸引ノズルの構成を示した斜視図、図３および図４は吸引ノズルの断面図である。なお、図3は図2のＡ部の断面図であり、図４は図2のＢ部の断面図である。
【００１５】
図１において熱交換器を通過する空気の塵埃を除去するエアフィルター２は、フィルターワク１に支持固定され、エアフィルター２の表面に沿って移動可能な吸引ノズル３が設けられる。吸引ノズル３はフィルターワク１の上下端に設置されたガイドレール４により、エアフィルター２と極めて狭い間隙を保って円滑に左右に移動することができる。エアフィルター上に付着した塵埃はこの吸引ノズル３より吸引される。さらに、吸引ノズル３には吸引ダクト５が連結され、さらに吸引ダクト５は吸引装置６に連結される。吸引ダクト５は吸引ノズル３の移動に差し支えないように折り曲げ可能なダクトで形成される。さらに、吸引装置６には排気ダクト７が連結され、室外へ引き回される。吸引ノズル３により吸引されたエアフィルターの塵埃は吸引ダクト５、吸引装置６、排気ダクト７を経由して室外へ排出される。尚、吸引ノズル３の左右移動は、ワイヤーとモーター（図示せず）で駆動するものとする。
【００１６】
また、吸引ノズル３は、図２〜図４に示すように、吸引風の流通路を構成するノズル８と、ノズル８を囲むように設けられたフィルム９と、フィルム９を支持して駆動力を伝えるギヤ１４と、フィルム９を支持して円滑に駆動させるためのローラー１５ａ、１５ｂ、１５ｃで構成される。また、ノズル８のエアフィルター側の面には、エアフィルター２の
縦長さに相当する区間にスリット状のノズル吸引孔１０が複数設けてある。そして、ノズル吸引孔１０のノズル内部側の角部にはＲ形状を施している。一方、フィルム９はノズル吸引孔１０を覆うようにノズル８の外周に巻き付けられている。そして、エアフィルター側の面は、フィルムガイド１７でノズル８に対して隙間１８を持って支持されている。フィルム９にはスリット状のフィルム吸引孔１１が設けてあり、フィルム吸引孔１１の位置がノズル開口部１０に相対する位置にフィルム９は取り付けられている。フィルム９の両端には等間隔の駆動穴が設けられており、ステッピングモーター１３を連結したギヤ１４が、駆動穴に噛み合わさることによってフィルム９は上下方向のいずれにも自在に駆動できるようになっている。
【００１７】
以上のような構成により、吸引装置６によって吸引される風量は各吸引孔１０、１１に絞られて集中することとなるので、少ない風量でも強い風速を発生させることが可能となるが、一方で、吸引孔を絞ると流通路抵抗が増大していく。しかし、本発明においては、ノズル８に設けたノズル吸引孔１０のノズル内部側の角部にＲ形状を施しているため、流通路抵抗が低減でき吸引風が流れ易くなる。すなわち、小出力で強い吸引力を発揮することが可能となる。
【００１８】
この強い吸引力で吸引されたエアフィルター上の塵埃は、フィルム吸引孔１１からノズル吸引孔１０を経てノズル８内部に入り、さらに吸引ダクト５、吸引装置６、排気ダクト７を経由して室外へ排出される。そして、吸引ノズル３を左右に駆動する毎に、フィルム９に設けたフィルム吸引孔１１を可変させることで、エアフィルター全面を吸引清掃することが可能となる。
【００１９】
（実施の形態２）
図５は、本発明の実施の形態２を示した吸引ノズルの断面図であり、詳しくは、図２のＢ部の断面図である。
【００２０】
以下の説明において、実施の形態１と重複する説明は省略する。
【００２１】
図５に示すように、フィルムガイド１７に吸引孔１６をノズル吸引孔１０と相対する位置に設け、このフィルムガイド吸引孔１６の吸引風入口側の角部にＲ形状を施したものである。
【００２２】
これにより、フィルムガイド吸引孔１６の部分での流通路抵抗が低減できるとともに、吸引風の流通音を無くすことができる。
【００２３】
（実施の形態３）
図６は、本発明の実施の形態３を示した吸引ノズルの断面図であり、詳しくは、図２のＢ部の断面図である。
【００２４】
以下の説明において、実施の形態１、２と重複する説明は省略する。
【００２５】
図６において、フィルム吸引孔１１の幅方向の寸法Ｌを、ノズル吸引孔１０およびフィルムガイド吸引孔１６の幅寸法ｌよりも大きく（Ｌ＞ｌ）設定したものである。
【００２６】
ノズル８にはフィルム９との間に、フィルム９の円滑な駆動を得るための隙間１８を設けているが、フィルム９は駆動時に隙間１８の分だけ左右方向にズレる場合がある。そこで、フィルム吸引孔１１とノズル吸引孔１０およびフィルムガイド吸引孔１６の幅寸法の関係をＬ＞ｌとすることで、フィルム９が左右方向にズレてもフィルム吸引孔１１の開口面積を減少させることなく、開口面積減少による流通路抵抗の増大を防止できる。
【００２７】
（実施の形態４）
図７は、本発明の実施の形態４を示した吸引ノズルの断面図であり、詳しくは、図２のＢ部の断面図である。
【００２８】
以下の説明において、実施の形態１，２，３と重複する説明は省略する。
【００２９】
図７に示すように、ノズル吸引孔１０の幅寸法をフィルム吸引孔１１よりも大きく設定したものである。
【００３０】
これにより、各吸引孔１０、１１、１６を通過する吸引風は、図示した矢印のように流線的に流れることができるため、さらに流通路抵抗を低減させることが可能となり、良好な吸引性能を得ることができる。
【００３１】
（実施の形態５）
図８は、本発明の実施の形態５を示した空気調和機本体の構成図である。
実施の形態１〜４のいずれかの発明のフィルター装置２３を空気調和機に用いることで、エアフィルター２に付着した塵埃を自動で確実に吸引清掃することができる空気調和機を提供できるものである。
【産業上の利用可能性】
【００３２】
以上のように、本発明にかかる空気調和機は、吸引ノズルの吸引孔の流通路抵抗を低減することができて、吸引力を向上させることが可能となるため、吸引性能に優れた吸引ノズルが提供でき、エアフィルターに付着した塵埃を自動で確実に吸引清掃することが可能となるので、各種の空気調和機の用途にも適用できる。
【図面の簡単な説明】
【００３３】
【図１】本発明の実施の形態１における空気調和機の構成を示した斜視図
【図２】本発明の実施の形態１における吸引ノズルの構成を示した斜視図
【図３】本発明の実施の形態1における吸引ノズルの構成を示した断面図
【図４】本発明の実施の形態１における吸引ノズルの構成例を示した断面図
【図５】本発明の実施の形態２における吸引ノズルの構成例を示した断面図
【図６】本発明の実施の形態３における吸引ノズルの構成例を示した断面図
【図７】本発明の実施の形態４における吸引ノズルの構成例を示した断面図
【図８】本発明の実施の形態５を示す空気調和機の構成図
【符号の説明】
【００３４】
１  フィルターワク
２  エアフィルター
３  吸引ノズル
４  ガイドレール
５  吸引ダクト
６  吸引装置
７  排気ダクト
８  ノズル
９  フィルム
１０  ノズル吸引孔
１１  フィルム吸引孔
１２  駆動穴
１３  ステッピングモーター
１４  ギヤ
１５ａ  ローラー
１５ｂ  ローラー
１５ｃ  ローラー
１６  フィルムガイド吸引孔
１７  フィルムガイド
１８  隙間
２０  本体
２１  熱交換器
２２  ファン
２３  フィルター装置
【図１】
2006097920.tif 000003
【図２】
2006097920.tif 000004
【図３】
2006097920.tif 000005
【図４】
2006097920.tif 000006
【図５】
2006097920.tif 000007
【図６】
2006097920.tif 000008
【図７】
2006097920.tif 000009
【図８】
2006097920.tif 000010